(57)【要約】【課題】従来の刺股を使用するにはテクニックや力が必要であるが、犯人の体に押し当てるだけで身体の自由を奪うことができる刺股を提供する。【解決手段】把手２の前部に設けた基部３に、先端側の幅が広くなる二枚の支持体４，４を軸棒５，５で可動軸止して成る前記支持体４，４の前端部に、強力な粘着剤６を施した面につまみ９付き剥離紙１０を備えた粘着シ−ト７を掛け渡すように取り付けた粘着型の刺股１とする。【選択図】図１
2006292345.tif 000002
【特許請求の範囲】
【請求項１】
把手の端部に設けた基部に、二股状に設けた二つの支持体が内側に可動軸止するように形成した前記支持体の先端部に、強力な粘着剤を施した粘着シ−トを掛け渡すように取り付けた構成を特徴とする粘着型の刺股。
【請求項２】
上記する粘着剤面の保護部材として、前記粘着剤面に剥離紙を取り付けて成る請求項１に記載する粘着型の刺股。
【請求項３】
上記する粘着剤面の保護部材として、別体形成されるコの字状の保護カバ−を、隙間を有して粘着カバ−に着脱自在に組み合わせて成る請求項１に記載する粘着型の刺股。
【発明の詳細な説明】
【技術分野】
【０００１】  本発明は、刃物を持った凶悪犯人の体に押し当てることで、強力な粘着シ−トにより身体の動きを制限して確保し、且つ使用者の身の安全を図ることができる粘着型の刺股に関する。
【背景技術】
【０００２】  従来より、刃物を持った凶悪犯人に対する防犯具としては、把手の先端を二股形状に形成した刺股があり、使用する際は、一人または複数の人が持った刺股の二股部を犯人の身体に押し当てて近寄るのを防御するとともに、犯人を壁や床に押し付けたりして確保するための防犯器具がある。【０００３】  また刺股の二股形成される左右の棒が内側に可動したり延長することで、犯人の身体を包み込むようにして捕獲できる刺股の技術もある（例えば特許文献１参照）
【特許文献１】特開２００３−２５４６９７公報（第６−１０頁、図３）
【発明の開示】
【発明が解決しようとする課題】
【０００４】  上記するような刺股の技術があるが、まず古くから提供される先端が二股状に分かれた刺股棒は、二股部を犯人の身体に押し付けることで近寄るのを防いだり、確保したり撃退できる防犯具である。しかし、刃物を持った凶悪犯に対してこの刺股棒を用いて効果的に使うには、様々な使い方や力も必要であるため、警察官やかなり訓練を受けた者でないと有効に使うことができない用具であった。【０００５】  また特開２００３−２５４６９７公報に開示される刺股は、二股に別れた端部が内側に可動したり延長することにより、犯人の身体を包み込むようにして捕獲できる用具であるが、死に物狂いで向かって来る犯人に対して使うには、刺股の使い方やコツ、そしてかなりの力とともに実践的な訓練をした者でないと効果的に使えるものではない。加えて構成はかなり複雑で構成部材も多いのでコスト高はもとより、操作にも慣れておく必要がある刺股の技術である。
【課題を解決するための手段】
【０００６】  本発明は上記するような不便や欠点を解消した刺股とするために、請求項１においては、把手の端部に設けた基部に、二股状に設けた二つの支持体が内側に可動するように形成し、該支持体の先端部に、強力な粘着剤を施した粘着シ−トを掛け渡すように取り付けた粘着型の刺股を形成することで、使用する際は犯人の身体に接着させて動きを制限したり防御できる刺股を構成する。【０００７】  請求項２においては、上記する粘着剤面の保護部材として、つまみ付き剥離紙を取り付けることで、粘着面にゴミや埃が付くのを防ぐようにする。【０００８】  請求項３においては、上記する粘着剤面の保護部材として、別体形成するコの字状の保護カバ−を着脱自在に組み合わせることで、保護カバ−が粘着剤に付かないでスム−ズに取り外せるものとする。
【発明の効果】
【０００９】  本発明による刺股は、犯人に押し当てる二股の前部に強力な粘着シ−トを備え、且つ二股材は内側に可動する構成であるので、犯人に対して使用する際は、まず粘着シ−トの剥離紙や保護カバ−を取り外してから犯人の体に向けて押し当てるだけで、強力な粘着シ−トが体や衣服に接着することにより、犯人の動きを拘束して近寄るのを防止できるので、刺股の扱いに慣れていない人でも簡単に扱える。さらに力のある人なら従来の刺股のように捻ったり押し返したりして床や壁に押し付けて犯人の身柄を確保できる。また経験の無い素人でも複数の人がこの刺股を用いた場合は、胴体の外に脚部や腕や顔などに同時に押し当てるだけで犯人の自由を完全に奪えるうえ、仮に犯人が暴れて刺股から手を離しても、強力な粘着力により犯人自身では容易に刺股を取り外すことはできないので、継続して犯人の行動を制限することができるため、この間に外部や警察に通報することが可能な刺股となる。【００１０】  加えて、粘着シ−トは大きいので視覚的にも犯人に威圧感を与えられるとともに、使用方法は犯人の体を目がけて押し当てるだけでよいので、従来の刺股のように二股部で挟みながら捻ったり押さえ込むなどのテクニックや力があまりなくても使えるため、それほど訓練しない人でも有効に使える刺股である。さらに構成はシンプルでかつ操作も簡単であるので、金融機関や教育現場はもとより、家庭に置いても効果的に使える防犯具として提供できる。
【発明を実施するための最良の形態】
【００１１】  刺股の扱いに慣れない者でも簡単に使え、押し当てるだけで犯人の行動を制限できるように、二股の前部に強力な粘着シ−トを備えた粘着型の刺股を構成する。
【実施例１】
【００１２】  本発明による実施例１の刺股を、図１に示す一部省略した斜視図と図２に示す刺股を使用する際の作用例図と図４に示す使用状態の参考図で説明する。
実施例１の刺股１は、一定の長さの把手２の前部に設けた基部３に、先端側が幅が広くなる二枚の支持体４，４の端部を、軸棒５，５で可動軸止して成る前記支持体４，４の前端部に、柔軟でかつ丈夫なシ−ト表面に、強力な粘着剤６を施した粘着シ−ト７を掛け渡すように取り付けた前記粘着剤６面に、保護部材８として、つまみ９付き剥離紙１０を備えた粘着型の刺股１を構成する。【００１３】  実施例１による刺股１は、二股状の支持体４，４の前端部に強力な粘着シ−ト７を取り付けているので、使用する際はつまみ９を持って剥離紙１０を剥がして後、図２のイ図のように犯人Ａに向けてから、ロ図及びハ図のように強く押し当てると、支持体４，４が内側に可動して粘着シ−ト７が犯人Ａの体に巻き付くように、胴体や手足や衣服に強力に接着することで動きを制限するとともに、そのまま押さえ込んだり排除することが可能な刺股１を構成する。また粘着力は極めて強力であるため、仮に犯人Ａが暴れて使用者が途中で刺股１から手を離したとしても、犯人自身で簡単には取り外すことができない。さらに、仮に粘着シ−ト７を刃物で切断された場合でも、二股状の支持体４，４によって従来の刺股と同様の防御効果を得ることが可能な刺股１である。
【実施例２】
【００１４】  実施例２の刺股を、図３の粘着シ−ト部を示す分解斜視図で説明する。本実施例における刺股１の基本構成は前記実施例１と同じであるが、要部となる粘着シ−ト７及びその保護部材８が異なるタイプである。まず二股状を成す２つの支持体４，４の端部に取り付ける粘着シ−ト７の両端部には、少し高い縁１１，１１を設けるとともに、その粘着シ−ト７の粘着剤６面の保護部材８は、薄くても適度に腰の強い板により、粘着シ−ト７の前面と背面を覆うコ字状に形成したつまみ９付き保護カバ−１２を別体形成し、その保護カバ−１２を前記粘着シ−ト７の上部より抜き差し自在に組み合わせられる粘着型の刺股１を構成する。【００１５】  実施例２における粘着シ−ト７面には、実施例１タイプより粘着度が高く剥離紙にも接着するほどの強力タイプで、かつ厚塗りした粘着剤６を採用しているが、その左右両端部には少し高い縁１１，１１を設けている。加えて、その粘着剤６面を覆う保護部材８は、前記粘着シ−ト７の前面と背面を覆うコの字状に曲げ形成した保護カバ−１２を差し込んで組み合わせるが、粘着剤６面の両端部に縁１１，１１を設けることで隙間を形成するので、粘着シ−ト７に組み合わせた場合でも、粘着剤（６）が保護カバ−１２に触れることなく覆って保護できるとともに、使用する時はつまみ９を持って引き抜きだけでスム−ズに取り外して使える。
【図面の簡単な説明】
【００１６】
【図１】  本発明の実施例１の刺股を示す一部省略した斜視図である。
【図２】  実施例１の刺股を使用する時の作用例図である。
【図３】  実施例２の刺股を示す一部省略した分解斜視図である。
【図４】  本発明の刺股の使用状態を示す参考図である。
【符号の説明】
【００１７】  １  刺股
２  把手
３  基部
４  支持体
５  軸棒
６  粘着剤
７  粘着シ−ト
８  保護部材
９  つまみ
１０  剥離紙
１１  縁
１２  保護カバ−
Ａ  犯人
【図１】
2006292345.tif 000003
【図２】
2006292345.tif 000004
【図３】
2006292345.tif 000005
【図４】
2006292345.tif 000006